(57)【特許請求の範囲】
【請求項１】
第１シリアルコイル（Ｓ１０１）及び第１アーマチュア（Ａ１０１）とよりなる第１組モーターアセンブリと，第２シリアルコイル（Ｓ２０１）及び第２アーマチュア（Ａ２０１）とよりなる第２組モーターアセンブリとよりなり、
上記第１組モーターアセンブリの第１シリアルコイル（Ｓ１０１）の一端は電源の一側に接続され、
その第１組モーターアセンブリの第１シリアルコイル（Ｓ１０１）の他端は第１電流制御抵抗器（Ｒ１０１）と第１環流制御ダイオード（ＣＲ１０１）と第１組モーターアセンブリの第１アーマチュア（Ａ１０１）との直列回路の一端と接続され、
またその第１組モーターアセンブリの第１シリアルコイル（Ｓ１０１）の他端は第２電流制御抵抗器（Ｒ２０１）と第２環流制御ダイオード（ＣＲ２０１）と第２組モーターアセンブリの第２アーマチュア（Ａ２０１）との直列回路の一端と接続され、
第１組モーターアセンブリの第１アーマチュア（Ａ１０１）の直列回路の他端と第２組モーターアセンブリの第２アーマチュア（Ａ２０１）の直列回路の他端は互いに連結され、かつ上記第２組モーターアセンブリの第２シリアルコイル（Ｓ２０１）の一端に接続され、
また第２組モーターアセンブリの第２シリアルコイル（Ｓ２０１）の他端は電源の他側と接続されている不均圧循環電流隔絶効能を具えた整流子型モーターの並列異速運転電気回路。
【請求項２】
上記第１環流制御ダイオード（ＣＲ１０１）と第２環流制御ダイオード（ＣＲ２０１）とは各々順方向に接続してなる請求項１記載の不均圧循環電流隔絶効能を具えた整流子型モーターの並列異速運転電気回路。
【請求項３】
永磁式又は分路コイル励磁式磁場によって構成された第１組モーターアセンブリと第２組モーターアセンブリとよりなる多モーターアセンブリにおいて、
電源の一側には第１電流制御抵抗器（Ｒ５０１）と、第１抵抗器（Ｒ５１１）が並列接続された順方向接続の第１ダイオード（ＣＲ５０１）と、第１アーマチュア（Ａ５０１）と、よりなる第１組モーターアセンブリ直列回路の一端が接続され、
また電源の一側には第２電流制御抵抗器（Ｒ６０１）と、第２抵抗器（Ｒ６１１）が並列接続された順方向接続の第２ダイオード（ＣＲ６０１）と、第２アーマチュア（Ａ６０１）と、よりなる第２組モーターアセンブリ直列回路の一端が接続され、
第１組モーターアセンブリ直列回路と第２組モーターアセンブリ直列回路とは互いに並列に連結され、かつ上記直列回路の他端は電源の他側と接続されている不均圧循環電流隔絶効能を具えた整流子型モーターの並列異速運転電気回路。
【発明の詳細な説明】
【０００１】
【産業上の利用分野】
本発明は一種の不均圧循環電流隔絶効能（ＵＮＢＡＬＡＮＣＥＤ  ＶＯＬＴＡＧＥ  ＣＩＲＣＵＬＥＲ  ＣＵＲＲＥＮＴ）を具えた整流子型モーターの並列異速運転電気回路に関するものである。
【０００２】
【従来の技術】
従来のシリアル励磁コイルを具える整流子型モーター或いは分路磁場又は永磁式磁場の整流子型モーターは実際の運用に於いて例えばキャリアーなどの積載用途に使われる場合がある。
【０００３】
【発明が解決しようとする課題】
このようにシリアル磁場コイルによる整流子型モーター或いは分路コイルによって磁場を形成するモーター又は永磁式磁場による整流子型モーターの複数モーターを並列接続で運転する時両モーター間は必要とする平衡した駆動特性を提供することが困難で平均した運転状態を得ることが困難であった。特にシリアルモーターのトルクと回転速度両者間の変化斜率が甚だ大きく、実用化できないと言う欠点があった。
本発明は上述の従来のシリアル磁場コイルの整流子型モーター又は分路磁場，或いは永磁式磁場による整流子型モーターの応用上の欠陥を克服する目的で、一種の平衡運転特性を具備する各組共にシリアル磁場コイルを持つ整流子型モーターの並列駆動電気回路を提供するもので、その特徴として２組或いは２組以上のシリアルモーター或いはシリアルコイルを持つコンパウンドモーターによって構成され、それらのアーマチュアコイルは相互並列接続された後再び各組のシリアルコイルと直列接続する構造となっている。
【０００４】
従ってこの種の電気回路では上述の如く特殊な接続方式を採用し、各モーターのアーマチュア間に於いて相互間の干渉を防止する反ＥＭＦ（ＥＭＦ＝起電力の記号（ｅｍｆ）電流回路で電流を起すために働く外部作用。）を与え、平均した電流が得られる。又各モーター間のシリアル磁場コイルの励磁電流の増減は共に同時に行われるので各モーターの回転特性は一致する。即ち、各モーターのアーマチュアは各々電流方向に隔絶効能を具える二極体（ダイオード）と直列接続され、次いで二極体（ダイオード）の両端は電流制御抵抗器と並列に連り、最後に両システムは並列接続されて回路が構成される。又、各二極体（ダイオード）は更に電流制御抵抗器と並列接続されて両モーターの同期運転時に各モーターが独立して回転する。
上記の構成の下で今負荷が平均状態でない時、二極体（ダイオード）は相互に電流隔絶効能を発揮し、循環電流は電流制御抵抗器の制御を受けることとなる。
本回路を永磁式磁場整流子型モーター或いは分路コイル磁場による整流子型モーターに適用する場合も効果は同じである。
【０００５】
【課題を解決するための手段】
上記課題を解決するため、本発明による不均圧循環電流隔絶効能を具えた整流子型モーターの並列異速運転電気回路は、第１シリアルコイル（Ｓ１０１）及び第１アーマチュア（Ａ１０１）とよりなる第１組モーターアセンブリと，第２シリアルコイル（Ｓ２０１）及び第２アーマチュア（Ａ２０１）とよりなる第２組モーターアセンブリとよりなり、
上記第１組モーターアセンブリの第１シリアルコイル（Ｓ１０１）の一端は電源の一側に接続され、
その第１組モーターアセンブリの第１シリアルコイル（Ｓ１０１）の他端は第１電流制御抵抗器（Ｒ１０１）と第１環流制御ダイオード（ＣＲ１０１）と第１組モーターアセンブリの第１アーマチュア（Ａ１０１）との直列回路の一端と接続され、
またその第１組モーターアセンブリの第１シリアルコイル（Ｓ１０１）の他端は第２電流制御抵抗器（Ｒ２０１）と第２環流制御ダイオード（ＣＲ２０１）と第２組モーターアセンブリの第２アーマチュア（Ａ２０１）との直列回路の一端と接続され、
第１組モーターアセンブリの第１アーマチュア（Ａ１０１）の直列回路の他端と第２組モーターアセンブリの第２アーマチュア（Ａ２０１）の直列回路の他端は互いに連結され、かつ上記第２組モーターアセンブリの第２シリアルコイル（Ｓ２０１）の一端に接続され、
また第２組モーターアセンブリの第２シリアルコイル（Ｓ２０１）の他端は電源の他側と接続されてなる。
また、上記第１環流制御ダイオード（ＣＲ１０１）と第２環流制御ダイオード（ＣＲ２０１）とは各々順方向に接続してなる。
さらに、永磁式又は分路コイル励磁式磁場によって構成された第１組モーターアセンブリと第２組モーターアセンブリとよりなる多モーターアセンブリにおいて、
電源の一側には第１電流制御抵抗器（Ｒ５０１）と、第１抵抗器（Ｒ５１１）が並列接続された順方向接続の第１ダイオード（ＣＲ５０１）と、第１アーマチュア（Ａ５０１）と、よりなる第１組モーターアセンブリ直列回路の一端が接続され、
また電源の一側には第２電流制御抵抗器（Ｒ６０１）と、第２抵抗器（Ｒ６１１）が並列接続された順方向接続の第２ダイオード（ＣＲ６０１）と、第２アーマチュア（Ａ６０１）と、よりなる第２組モーターアセンブリ直列回路の一端が接続され、
第１組モーターアセンブリ直列回路と第２組モーターアセンブリ直列回路とは互いに並列に連結され、かつ上記直列回路の他端は電源の他側と接続されてなる。
【０００６】
【作  用】
シリアルコイルで構成される複数のモーターが並列状態で運転される時，負荷量の相違によって起きる不均圧（電圧偏差）循環電流を隔絶する効能と特性を具えると共に、アーマチュア間循環電流の減少時、又はトルクの分配、或いは再生発電制動等の効能は従来の直列接続又は並列接続の場合と比較して運転特性が改善される。又２組或いは２組以上の永久磁石式、或いは分路コイル（ＳＨＵＮＴＣＯＩＬ）励磁式磁場によって回転するモーターのアーマチュアコイルＡは相互並列接続をする前に各々循環電流制御ダイオードＣＲと接続し、或いは電流制御抵抗器Ｒと直列接続し、又は循環電流制御ダイオードＣＲと電流制御抵抗器Ｒと並列接続して循環電流Ｉを制御する。又循環電流拡御ダイオードＣＲと電流制御抵抗器Ｒを並列接続して各モーター間のトルク分配を行い、又は再生発電制動時の電流制御を行う。その外、前述直列電流制御抵抗器Ｒ及びダイオードＣＲ並びにダイオードＣＲと並列接続された抵抗器Ｒの三者を併用することが可能な特徴を具える。尚、英文大文字はそれらに数字がついたものを代表して示す。
【０００７】
【実施例】
図１に示すのは、本発明の第１実施例に係る不均圧循環電流隔絶効能を具えた整流子型モーターの並列異速運転電気回路の基本原理配線図である。
本図に示すのは２組のシリアルモーターの一例で以下これについて説明をする。
─第１組モーターアセンブリ：シリアルコイルＳ１０１及びアーマチュアＡ１０１，
─第２組モーターアセンブリ：シリアルコイルＳ２０１及びアーマチュアＡ２０１。
上記第１モーターのシリアル磁場コイルＳ１０１のａ端は電源の＋側に、ｂ端はアーマチュアＡ１０１のｃ端と接続されている。第２組モーターのアーマチュアＡ２０１のｖ端と第１組モーターのシリアルコイルＳ１０１のｂ端及びアーマチュアＡ１０１のｃ端と接続され、第２組モーターのアーマチュアＡ２０１のｗ端はそのシリアルコイルＳ２０１のｘ端及び第１組モーターのアーマチュアＡ１０１のｄ端と連結され、又第２組モーターのシリアルコイルＳ２０１のｙ端は電源の−側と接続されている。
【０００８】
今、モーターが正常状態で運転される時、２組のモーターのシリアルコイルに流れる電流値は同じく、且つ両アーマチュア電流の和に相当する。
上記の基本回路に於いて第１モーターの負荷量が増大した時回転速度は低下する。同時に反ＥＭＦ（Ｅｌｅｃｔｒｏ  ｍｏｔｉｖｅ  ｆｏｒｃｅ反起電力）効能も低下し、循環電流Ｉ１０１は増大する。このため両組のモーターのシリアル磁場に於ける励磁電流も増大され、従って第２組モーターの回転速度も低下する。これを一般の２組から成るシリーズモーターの直接並列接続と比較すると、この場合両モーターの回転速度差が小さく、並列接続の電流安定度が改善される。
今、第２組モーターの負荷が増大した時循環電流Ｉ２０１も増大する。これは第１組モーターの反応も同じであり、各モーターのシリアルコイルの電流値は即ちこれと直列接続される各アーマチュアの総合成値であり、一般のシリーズモーターのようにシリアルコイル電流が即ち第１アーマチュアの電流値であるのと異る。
上述の電気回路は基本回路であり、更に次のオプションを加えてその性能を拡大することが可能である。
【０００９】
各アーマチュアをそれぞれ電流制御抵抗器と直列接続する。負荷が変動迅速型のもので且つ各モーターにより良い慣性運転を期待する場合、必要に応じて前述第１モーターのアーマチュアＡ１０１及び第２モーターのアーマチュアＡ２０１をそれぞれ電流制御抵抗器Ｒ１０１，Ｒ２０１と直列接続し、一旦負荷量が減少した時に他方のモーターが却って負荷となって循環電流の損失を招くのを防止する。
前記アーマチュアと直列接続されたダイオードＣＲ１０１及びＣＲ２０１は各々電流制御抵抗器Ｒ１１１及びＲ２１１と並列接続し、元の電流制御抵抗器Ｒ１０１及びＲ２０１に代って駆動時の熱損失を減少し、又各モーター間の回転速度が異るような状態の時２組のモーターは共同で駆動トルクを維持させる。これによって仮りに単独で各別にダイオードと直列接続した時に僅かな回転速度の差で一方のモーターがトルクを失うような欠陥を防止する。これらの外、又発電再生制動時の循環電流の出力を司り、又元来ダイオードと直列接続した電流制御抵抗器を保留し、或いはこれら三者を同時併用することが出来る。
アーマチュアアセンブリのフライホイルダイオードＣＲ１０２及びＣＲ２０２は必要に応じて設けるものとする。
【００１０】
前記不均圧循環電流隔絶効能を具えた整流子型モーターの並列異速運転電気回路に於いて、以上の外更に２組のシリアル磁場コイルを並列接続する応用方法が可能である。
図２は本発明の参考例に係る不均圧循環電流隔絶効能を具えた整流子型モーターの並列異速運転電気回路に於けるシリアル磁場コイルアセンブリの並列接続の例を示したものである。図中の主要構成は下記の如くである。
──２組のシリーズ（又はコンパウンド）モーターアセンブリ：各モーターのシリアルコイルアセンブリとアーマチュアは直列接続され更に各組のシリアルコイルアセンブリＳ３０１，Ｓ４０１と並列接続されている。
──アーマチュアＡ３０１及びＡ４０１は各々電流方向に隔絶二極体（ダイオード）ＣＲ３０１及びＣＲ４０１と直列接続されている。フライホイル二極体（ダイオード）ＣＲ５００は電源の脈動を吸収し、モーターの安定した運転を確保する。
──モーターアセンブリは２組又は２組以上で構成し、そのシリアルコイルアセンブリは上述の如く相互並列接続される。又アーマチュアは電流方向に（順方向）にダイオードと直列接続され、両者は前述の如く並列接続された後又シリアル磁場コイルと直列接続される。
【００１１】
実際の応用面に於いて本発明に係る不均圧循環電流隔絶効能を具えた整流子型モーターの並列異速運転電気回路は下記の形態の弾力的な運用が可能である。即ち、
（１）機械的な構造形態：各自独立した２組又は２組以上の整流子型モーターを接続し一つの殻体（ケース）内に収容する構造。
（２）電機的構造形態：シリーズモーター或いはシリアルコイルを具えたコンパウンドモーターによって構成する。モーターがコンパウンドモーターである場合、分路磁場の部分は従来伝統の長分路，短分路，助分路及び差分路などの形式が何れも適用出来る。
（３）電気制御性の構造形態：本発明に係る整流子型モーター異速運転並列回路を含めて直接負荷の駆動に応用出来る外、従来のモーターアセンブリに見られる直，並列抵抗切換替式の抵抗切替機構として応用出来る。
（４）前述の如く、本発明に係る環流制御ダイオードを備えた不均圧循環電流隔絶効能を具備する整流子型モーターの並列異速運転電気回路に於ける各モーターのシリアルコイルはその全体或いは部分的に数単位に分けて並列接続し、その後更にアーマチュアアセンブリと直列接続することが出来る。
【００１２】
前述の如く、本発明に係る不均圧循環電流隔絶効能を具えた整流子型モーターの並列異速運転電気回路に於いて上述の各種効用の外更に永磁式又は分路式磁場による多モーター構成で並列駆動する効用がある。その特徴は２組又は２組以上の永磁式モーター或いは分路磁場のモーターにより、そのアーマチュアコイルを相互並列接続する前に先ず各々環流制御抵抗器或いは電流制御抵抗器の一方又は両方と直列接続し、各アーマチュア間に於いて負荷量の差異によって起る過大電流の流れを防止する特徴がある。
これは、従来の多モーター並列永磁式磁場又は分路コイル式磁場による直流型の回転方向転換整流子型モーターの運転に際して、不安定な負荷を駆動する時、各モーターのアーマチュアは平均した運転電流を得ることがむずかしく、稍やもするとその中の一部分のモーターは他モーターの負荷となってアーマチュア発電機作用を招くことがある。これによってアーマチュアと過剰電流が流れ往々にしてアーマチュア自体を焼損する欠陥があった。
【００１３】
例えば電気車両のように各々独立して異る車輪を負荷として駆動する時、車輪が方向転換をする時に上述の欠陥が顕著に現われる。従って本発明に係る新しい電気回路にあっては上述の特殊な配線方式を採用して各モーター間の過大電流を抑制することが特徴である。
図３は本発明の第２実施例に係る永磁式又は分路コイル式磁場が構成する不均圧循環電流隔絶効能を具えた整流子型モーターの並列異速運転電気回路の原理図である。
本図は２組の永磁式モーターの一例でその機能を下記に説明する。
第１組モーター：永久磁石式磁場Ｍ５０１及びアーマチュアＡ５０１。
第２組モーター：永久磁石式磁場Ｍ６０１及びアーマチュアＡ６０１。
各アーマチュアはそれぞれ電流制御抵抗器と直列接続：即ち、前記第１モーターのアーマチュアＡ５０１及び第２モーターのアーマチュアＡ６０１はそれそぞれ電流制御抵抗器Ｒ５０１及びＲ６０１と直列接続されている。これにより負荷量が減少した時、他方のアーマチュアが負荷とならないように循環電流を制御し、且つ各モーターが回転差を保持しつつ異速運転される時、各モーターがそれぞれトルク配分を維持出来るようになっている。
各アーマチュアはそれぞれ環流制御ダイオードと直列接続され、且つ各ダイオードは電流制御抵抗器と並列接続されている。
【００１４】
前述の第１モーターのアーマチュアＡ５０１及び第２モーターのアーマチュアＡ６０１は各々同方向で隔絶用ダイオードＣＲ５０１及びＣＲ６０１と直列接続され、負荷量の減少により、他方のアーマチュアが却って負荷となって環流が生じる現象を防止している。上記アーマチュアと直列接続されているダイオードＣＲ５０１及びＣＲ６０１は又各々抵抗Ｒ５１１及びＲ６１１と並列接続して元の電流制御抵抗器Ｒ５０１及びＲ６０１に代ることも可能である。これによって再生発電の電流制御抵抗器としての役目を果し、且つモーター間に回転差がある時、各モーターのトルク配分を維持し、順方向駆動状態時に於ける熱損失を減少させ、或いは各アーマチュアがそれぞれ電流制御抵抗器Ｒ５０１及びＲ６０１と直列接続して三者混合使用する機能が得られる。
実際の応用面では、この種の永磁式或いは分路コイル磁場モーターの不安定負荷並列回路の改良設計に応用する時下記の如き構成となる。
【００１５】
（１）機械的構造形態：各自独立した２組又は２組以上の永久磁石式又はシリアルコイル磁場のモーターによって構成され、或いはこれらを一つの殻体（ケース）内に収容する形態。
（２）電機的構造形態：２組或いは２組以上の永磁式磁場又は整流子型アーマチュアモーター又は分路コイル型磁場及び整流子型アーマチュアモーターによって構成される。即ち、分路コイルを以て永久磁石に代替する構造である。
以上を総合すると、本発明は一種の不均圧循環電流隔絶効能を具えた整流子型モーターの並列異速運転電気回路を提供するもので、即ち２組又は２組以上のシリーズモーター或いはシリアルコイルによって励磁されるコンパウンドモーター又は永久磁石式か分路コイル（ＳＨＵＮＴ  ＣＯＩＬ）励磁式のモーターはそのアーマチュアコイルは各々電流方向に直列接続されたダイオードで隔絶し、ダイオードの両端は電流制御抵抗器と並列接続をした後相互が又並列接続され、その後各組のシリアルコイルと直列接続をするか或いは相互並列接続されたシリアルコイルと直列接続される。これによってシリアルコイルで構成される複数のモーターが並列状態で運転される時、負荷量の変動によって起る不均圧（電圧偏差）循環電流を隔絶する特性を具えると共に、アーマチュア間循環電流の減少時、又トルク配分、或いは再生発電制動などの効能は従来の直列接続又は並列接続の場合と比較して運転特性が改善される。
【００１６】
又、２組或いは２組以上の永久磁石式、或いは分路コイル（ＳＨＵＮＴ  ＣＯＩＬ）励磁式磁場によって回転するモーターのアーマチュアコイルは相互並列接続をする前に各々循環電流制御ダイオードと接続し、或いは電流制御抵抗器と直列接続し、又は循環電流制御ダイオードと電流制御抵抗器と並列接続して循環電流をコントロールする。又循環電流制御ダイオードと電流制御抵抗器を並列接続して各モーター間のトルク分配を行い、又は再生発電制動時の電流制御を行う。この外、前述直列電流制御抵抗器及びダイオード並びにダイオードと並列接続された抵抗器の三者を混合併用することが可能の特徴を具える。
【００１７】
【発明の効果】
上述の如く本発明により２組又は２組以上のシリーズモーター或いはシリアルコイルによって励磁されるコンパウンドモーター或いは永磁式か分路コイル励磁型のモーターは、それらのアーマチュアコイルはそれぞれ電流方向に隔絶作用を行うダイオードと直列接続し、又ダイオードの両端は電流制御抵抗器と並列接続をした後更に両者が並列接続され、最後に各組のシリアルコイルと直列接続するか又は前記相互並列接続されたシリアルコイルアセンブリと直列接続される構造で、これによってシリアルコイルアセンブリの多モーターが並列運転中に於いて負荷の変動（増加或いは減少）によって起る不均圧循環電流を隔絶する特性があり、又アーマチュア間の循環電流を減少させ、或いはトルクの分配、或いは再生発電制動効能は従来の直列式或いは並列式の運転特性と比較して運転特性が顕著に改善されるものである。
【図面の簡単な説明】
【図１】本発明の第１実施例に係る不均圧循環電流隔絶効能を具えた整流子型モーターの並列異速運転電気回路の基本原理回路図である。
【図２】  本発明の参考例に係る不均圧循環電流隔絶効能を具えた整流子型モーターの並列異速運転電気回路でのシリアル磁場コイルの並列接続回路図である。
【図３】  本発明の第２実施例に係る永磁式又は分路コイル励磁式磁場によって構成される不均圧循環電流隔絶効能を具えた整流子型モーターの並列異速運転電気回路の基本原理回路図である。
【符号の説明】
Ａ１０１    アーマチュアー
Ａ２０１    アーマチュアー
Ａ３０１    アーマチュアー
Ａ４０１    アーマチュアー
Ａ５０１    アーマチュアー
Ａ６０１    アーマチュアー
Ｓ１０１    シリアルコイル
Ｓ２０１    シリアルコイル
Ｓ３０１    シリアルコイル
Ｓ４０１    シリアルコイル
Ｒ１０１    電流制御抵抗器
Ｒ２０１    電流制御抵抗器
Ｒ５１１    電流制御抵抗器
Ｒ６１１    電流制御抵抗器
ＣＲ１０１  ダイオード
ＣＲ２０１  ダイオード
ＣＲ３０１  ダイオード
ＣＲ４０１  ダイオード
ＣＲ５０１  ダイオード
ＣＲ６０１  ダイオード
【図１】
0003787368.tif 000002
【図２】
0003787368.tif 000003
【図３】
0003787368.tif 000004